(57)【要約】      （修正有）【課題】設置場所を多くとらず、荷役作業時において、貨物室等の開閉扉周りを点灯することで作業性を高めることができる扉枠埋め込み式の作業灯を提供する。【解決手段】車両Ａの冷凍庫１０又は貨物室等の後扉２１の上枠部２２に、ＬＥＤ光源が所定間隔有して複数配設された回路基板を埋め込み式により配置したことを特徴とする扉枠埋め込み式のＬＥＤ作業灯Ｒである。これにより、後扉２１を開けて作業をする時に冷凍庫１０の扉開口部Ｋ付近を照らすことができる。また、扉枠２０に埋め込みで取り付けて、上枠部２２から下に出ない為、荷役作業の邪魔にならず破損し難い。しかも、後部にも出張らない為、冷凍倉庫のドックシェルター等に付けても破損し難い。【選択図】図１
0003187684.tif 000002
【実用新案登録請求の範囲】
【請求項１】
車両後部に搭載した冷凍庫又は貨物室の開閉扉の扉枠内に、ＬＥＤ素子が、単独で配設された回路基板、又は所定間隔有して複数配設された回路基板を埋め込み式により配置したことを特徴とする扉枠埋め込み式の作業灯。
【請求項２】
前記回路基板は、冷凍庫又は貨物室の上枠の底部に埋め込み可能に配設したことを特徴とする請求項１に記載の扉枠埋め込み式の作業灯。
【考案の詳細な説明】
【技術分野】
【０００１】
本考案は、大型車両等の冷凍庫や貨物室等の開閉扉周りを照らすＬＥＤ作業灯を扉枠に埋め込み式により配設する扉枠埋め込み式の作業灯に関する。
【背景技術】
【０００２】
従来、運転席の後部シャーシに搭載する冷凍庫や貨物室の車両では、通常、天井部中央に照明器具を配置している。夜間時においては、開閉扉やその付近で荷役作業することが多く、前記天井中央に配置した作業灯では開閉扉付近にまで光が届かず作業が進まない問題が生じていた。
【０００３】
そこで、例えば、特許文献１には、作業灯や照明器具を扉付近に配置した冷蔵車両が開示されている。すなわち、特許文献１には、箱形状を有するボディ（冷凍庫）の天井部であって、扉付近に配設した照明器具４０（図１に示す）が開示されている。
【０００４】
また、最近では、従来の白熱電球や蛍光灯の代わりに消費電力が少なく、寿命が長いＬＥＤ光源が使用されている。このようなＬＥＤ光源を搭載した回路基板を冷凍庫内等の貨物室内に配設した例が開示されている（特許文献２）。この特許文献２に記載のＬＥＤ光源は、車両用照明器具として冷凍庫内のコーナー部に設置するものである。
【先行技術文献】
【特許文献】
【０００５】
【特許文献１】特開２００２−２６４７１７号公報
【特許文献２】実用新案登録第３１７２８８１号公報
【考案の概要】
【考案が解決しようとする課題】
【０００６】
ところが、上記特許文献１に記載のような車両用照明器具を開閉扉付近の天井部に配置すると、その照明器具による天井部から下方への出っ張り部分が存在し、見栄えがあまり良くなく、しかも、ドックシェルターに車両を付けたときに破損するおそれがあった。
【０００７】
また、特許文献２に記載のＬＥＤ光源によるコーナーライトは冷凍庫や貨物室内を照らすものであり、ＬＥＤによる作業灯として冷凍庫や貨物室外の扉付近を照らすものはあまり存在していなかった。
【０００８】
この考案は、設置場所を多くとらず、荷役作業時において、荷物室の開閉扉周りを点灯することで作業性を高めることができる扉枠埋め込み式の作業灯を提供することを目的とする。
【課題を解決するための手段】
【０００９】
そこで、請求項１に記載の考案は、車両後部に搭載した冷凍庫又は貨物室の開閉扉の扉枠内に、ＬＥＤ素子が、単独で配設された回路基板、又は所定間隔有して複数配設された回路基板を埋め込み式により配置したことを特徴とする扉枠埋め込み式の作業灯である。
【００１０】
請求項２に記載の考案は、前記回路基板は、冷凍庫又は貨物室の上枠の底部に埋め込み可能に配設したことを特徴とする請求項１に記載の扉枠埋め込み式の作業灯である。
【考案の効果】
【００１１】
請求項１に記載の考案によれば、冷凍車の冷凍庫の扉枠内にＬＥＤ作業灯を埋め込み式により配設することにより、設置場所を取らずに扉開口部周りの広範囲を照らすことができる作業灯を設置できる効果を有する。
【００１２】
また、請求項１に記載の考案によれば、扉枠内に埋め込み式で取り付けるので、扉枠から扉開口部に突出しないような構造とすることができ、荷役作業の邪魔にならず破損し難い。
【００１３】
しかも、後部の扉開口部にも出張らない為、冷凍倉庫のドックシェルター等に付けても破損し難い。すなわち、従来のような、白熱電球であると、それ自体が出っ張り部材となって、ドックシェルターの枠体で破損するおそれが生じるが、本発明では扉枠内に例えば帯状のＬＥＤ作業灯を埋め込み式で配置することによりそのような問題が生じにくい。
【００１４】
さらに、扉の開閉時にも邪魔にならない。しかも、埋め込み式で扉枠内にＬＥＤ作業灯を配設するので、通常の扉閉時には作業灯が開閉扉に隠れて配置することになるので汚れにくい。
【００１５】
さらに、ＬＥＤ光源を複数配置して帯状（ライン状）に幅広く形成することにより、扉周り全体を照射させことができると共に影が生じにくくなるため、扉開口部で作業しやすい効果を有する。
【００１６】
請求項２に記載の考案によれば、例えば、冷凍車の冷凍庫の上部扉枠内にＬＥＤ作業灯を埋め込み式により配設することにより、ＬＥＤ光源からの光を上部扉枠から下方にかけて照射するので、扉開口部周りの広範囲を照らすことができる。しかも、作業者の足元を照らすことができる。これによって、ドアを開けて作業をする時に扉開口部周りを明るくすることができ、作業の効率化が図れる。
【図面の簡単な説明】
【００１７】
【図１】本実施形態におけるＬＥＤ作業灯Ｒを、冷凍庫の上枠部内の内底面の一面に沿って配置した状態を示す説明図である。
【図２】後扉と上枠部との断面構造を示す断面図である。
【図３】ＬＥＤ光源を搭載したＬＥＤ作業灯の全体構造を示す説明図である。
【図４】冷凍庫の扉開口部側であって、側壁部下部に配置したＬＥＤ作業灯の断面構造を示す。
【考案を実施するための形態】
【００１８】
以下、本実施形態における扉枠埋め込み式のＬＥＤ作業灯Ｒについて図面を参照して説明する。
【００１９】
本実施形態では、冷凍車Ａの後部シャーシに搭載する冷凍庫１０であって、後扉２１の上枠部２２内に埋め込み式でＬＥＤ作業灯Ｒを配置する例について説明する。
【００２０】
（車両について）
図１は、複数のＬＥＤ光源１１を有するＬＥＤ作業灯Ｒを、冷凍庫１０の扉枠２０の上枠部２２内の内底面の一面に沿って配置した状態を示す説明図である。
【００２１】
本発明は、冷凍車Ａ等の冷凍庫１０の後扉２１（開閉扉）側の上枠部２２に、ＬＥＤ光源１１が所定間隔有して複数配設されたＬＥＤ作業灯Ｒを埋め込み式により配置したことを特徴とするとするものである。
【００２２】
本実施形態では、ＬＥＤ作業灯Ｒを適用する冷凍車Ａは、運転席の後部シャーシに搭載する冷凍庫１０等に荷物を積載して搬送する車両である。
【００２３】
すなわち、冷凍車Ａは、図１に示すように、車体フレームの前部上に運転部（図示せず）を設け、同運転部の後方位置に冷凍庫１０を載設し、運転部の下方位置に前車輪（図示せず）を設けると共に、冷凍庫１０の中途部下方位置に後車輪１５を設けている。
【００２４】
なお、本実施形態ではＬＥＤ作業灯Ｒを適用する車両は冷凍車Ａについて説明するが、車両は大型トラック等の大型に限られず、小型の車両にも適用できる。
また、本発明は、前記冷凍庫１０に限られず、通常の荷物を搭載可能な荷物室、保冷室、貨物室、又は搬送コンテナにも適用可能である。
【００２５】
冷凍庫１０は、図１に示すように、天井部１７と床部１８と前壁部１９と左・右の側壁部１６ａ，１６ｂとから前後方向に縦長の箱形に形成している。冷凍庫１０を構成する天井部１７や側壁部１６ａ，１６ｂは、その内部に断熱部材等を有して形成されている。
【００２６】
また、冷凍庫１０は、扉開口部Ｋに設けた観音開き式の後扉２１を設けたタイプが通常である。なお、本実施形態では、３枚扉構成としているが、２枚扉、又は４枚扉構成にも適用することもでき、扉の枚数は限定されない。その３枚扉を受ける爪受部２４が上枠部２２と下枠部２３とにそれぞれ配設されている。
【００２７】
扉枠２０は、図１に示すように、上下の上枠部２２（上梁体）及び下枠部２３（下梁体）と左右の左柱体２５及び右柱体２６とで概略矩形状に構成されている。
【００２８】
扉枠２０を構成する上枠部２２は、上板と下板と前後の側板と左右の側板で構成された中空の大略直方体を有する。
【００２９】
そのような冷凍庫１０を有する冷凍車Ａにおいて、本実施形態におけるＬＥＤ作業灯Ｒは、一面に沿ってＬＥＤ光源１１を所定ピッチで複数配置したものを、冷凍庫１０の上枠部２２内に埋め込み式で配置したものである。
【００３０】
なお、本実施形態では、冷凍車Ａの後扉２１の上枠部２２内にＬＥＤ作業灯Ｒを配置した例を示すが、ＬＥＤ作業灯Ｒは、後扉２１の上枠部２２に適用することに限られず、横扉を備えた車両の上枠部にも適用することができる。
【００３１】
（扉枠内構造について）
次に、ＬＥＤ作業灯Ｒを冷凍庫１０の後扉２１の上枠部２２に取り付ける取付構造について詳細に説明する。
なお、後述する取付構造は例示であり、本実施形態における取付構造に限定されない。
【００３２】
図２は、その上枠部２２を拡大した図面であり、後扉２１と上枠部２２との関係を示す断面図である。
図２に示すように、上枠部２２の下板２２ｂ底面の運転席側には、後扉２１が冷凍庫１０の内方に回動するのを規制する規制部材２８を取り付けている。また、後扉２１の上端略中央には、この後扉２１と前記規制部材２８との接触を緩衝させる緩衝部材３１が配設されている。さらに、後扉２１の上端後部には、後扉２１が閉まった状態でのシール性を保持するシール材２９が配設されている。
【００３３】
具体的には、図２に示すように、ＬＥＤ作業灯Ｒは、上枠部２２の下板２２ｂ内底面に配置されるものである。このとき、ＬＥＤ作業灯Ｒは、下板２２ｂ内底面にテープを介して貼着して固定してもよい。
【００３４】
そして、図２に示すように、例えば細長い帯状のスペーサー２７（スポンジ押出品）をＬＥＤ作業灯Ｒの左右に配置すると共に、上に断面Ｌ字状の押え板３２を配置するようにしている。
【００３５】
さらに、押え板３２の上方であって、挿入孔３３周辺では、例えばスチレン３０の小ブロックを３〜４個配設し、これらスチレン３０の小ブロックでＬＥＤ作業灯Ｒを押え付けて固定している。また、挿入孔３３周辺以外では、スチレン３０の大ブロックを２個配設し、スチレン３０の大ブロックによりＬＥＤ作業灯Ｒを押え付けて固定している。
【００３６】
このスチレン３０は、通常では充填材として使用できると共に、冷凍庫１０内の荷物等の保冷性も兼ねている。
本発明では、スチレン３０を充填することで、回路基板１２に対しては保温性を保持できるために環境の変化がなく、ＬＥＤ作業灯ＲのＬＥＤ光源１１（発光素子）の信頼性を高めることができる。
【００３７】
なお、図１は上枠部２２内に埋め込み式のＬＥＤ作業灯Ｒを取り付ける一例を示すもので、扉枠２０の一面に取り付ける図１の取り付け箇所に限られず、例えば、扉枠２０のいずれかに取り付けることもできる。すなわち、上枠部２２以外の扉枠２０を構成する左柱体２５及び右柱体２６にも取り付け可能である。
【００３８】
扉枠２０の下板には、図１及び図２に示すように、断面矩形の角孔３７が複数穿設されている。各角孔３７には、ＬＥＤ作業灯ＲのＬＥＤ光源１１をそれぞれ位置させ、各ＬＥＤ光源１１からの光を通過させるようにしている。
【００３９】
さらに、図２に示すように、扉枠２０の冷凍庫１０内面側の前側板２２ａに所定大きさの挿入孔３３を穿設し、この挿入孔３３を板状の塞ぎ板３４で塞ぐように構成している。
【００４０】
（ＬＥＤ作業灯Ｒについて）
次に、ＬＥＤ作業灯Ｒの構造について図３を参照して説明する。
図３は、ＬＥＤ光源１１を搭載したＬＥＤ作業灯Ｒの全体構造を示す説明図である。
【００４１】
図３に示すように、本実施形態におけるＬＥＤ作業灯Ｒは、回路基板１２と、保護筒体１４とを備えている。
【００４２】
回路基板１２は、図３に示すように、長尺で湾曲自在のフレキシブル基板であり、その回路基板１２上にバッテリ電源からの電気を供給することで点灯するＬＥＤ光源１１を所定ピッチで複数配置したものである。
【００４３】
ＬＥＤ光源１１は、ＬＥＤ素子（発光素子）を回路基板１２上に直接実装したものである。ＬＥＤ光源１１は、波長の異なるＬＥＤ素子を実装することができる。これにより、例えば、赤・緑・青等の異なる色を出すことができ、単色又は複数色を組み合わせることができる。本実施形態のＬＥＤ作業灯Ｒでは、赤・緑・青が混在した白色光を照射するものを使用している。
【００４４】
回路基板１２の表面又は裏面には、各ＬＥＤ光源１１に電気を供給する配線（図示せず）や回路部品１３（チップ抵抗等）を配設している。
【００４５】
ＬＥＤ光源１１への電気は、ハーネス（図示せず）を介して、車両の所定箇所に配設したバッテリ電源（図示せず）から供給される。
すなわち、ＬＥＤ光源１１である発光素子にバッテリ電源の１２Ｖ電源（又は２４Ｖ電源）とＧＮＤとを電線４０を有するハーネス等で結線し、バッテリ電源からＬＥＤ光源１１の駆動用の電気を供給するようにしている。
【００４６】
また、ＬＥＤ光源１１をＯＮ・ＯＦＦするスイッチ回路をバッテリ電源と回路基板１２との回路途中に設ける等して、スイッチを運転席又は冷凍庫１０等の所定箇所で操作できるようにしてもよい。
【００４７】
保護筒体１４は、図３に示すように、回路基板１２を挿入可能な筒体としている。保護筒体１４は、透明性を有する軟質な樹脂材質で形成され、しかも、絶縁性を有するもの、例えば、ビニル樹脂材等で構成されている。
【００４８】
したがって、前記回路基板１２が例えばフレキシブル基板であり、保護筒体１４も軟質な樹脂材質で形成されているため、ＬＥＤ作業灯Ｒ全体が湾曲変形自在に構成されている。
【００４９】
なお、本発明に係る回路基板１２は、湾曲自在に構成したものに限られず、湾曲しない回路基板上に配置したＬＥＤ光源１１を用いてもよい。また、ＬＥＤ光源１１が単独のもの、すなわち、単独のＬＥＤ電球を単数若しくは複数扉枠内に埋め込み式で配設することもできる。
【００５０】
（ＬＥＤ作業灯Ｒの組み込み方法）
次に、ＬＥＤ作業灯Ｒの組み込み方法について説明する。
なお、後述する取付方法は例示であり、本実施形態における取付方法に限定されない。
【００５１】
最初に、図２に示すように、上枠部２２内にＬＥＤ作業灯Ｒを組み込む際には、中空の上枠部２２の冷凍庫１０側の内側面部に所定大きさの挿入孔３３を穿設する。この挿入孔３３を通して、ＬＥＤ作業灯Ｒを上枠部２２内に挿入する。挿入後は、塞ぎ板３４で挿入孔３３を塞ぐようにしている。
【００５２】
このとき、回路基板１２は、湾曲変形自在としているので、上枠部２２に組み込みやすくなっている。すなわち、回路基板１２を湾曲変形させて挿入孔３３を通すことができ、上枠部２２の下板２２ｂ内底面には回路基板１２を広げて配置することができる。
【００５３】
本実施形態では、上枠部２２内を予め中空状態にしており、その中空状態の扉枠２０の下板２２ｂの内底面に湾曲線状のＬＥＤ作業灯Ｒを配置する。そして、スペーサー２７を左右に配置し、その上に断面Ｌ字状の押え板３２を配置することでＬＥＤ作業灯Ｒを固定する。
【００５４】
この後、前記押え板３２の上方にスチレン３０を充填する。
まず、ＬＥＤ作業灯Ｒの上方にはスチレン３０の小ブロックを複数積層させて、上から押さえ付けるように構成している。それ以外は、上記スチレン３０の小ブロックより大きい大ブロックをこの後に詰め込むようにしている。
【００５５】
さらに、ＬＥＤ作業灯Ｒが長時間の使用によって劣化した場合には、図２に示す塞ぎ板３４を取外し、その中のスチレン３０の小ブロックを一旦上枠部２２外に取り出し、劣化したＬＥＤ作業灯Ｒを新品と交換し、スチレン３０の小ブロックを元に位置に戻して塞ぎ板３４を取り付けることもできる。
このように、上枠部２２は、ＬＥＤ作業灯Ｒをメンテナンスできる構造も有する。
【００５６】
次に、ＬＥＤ作業灯Ｒの回路基板１２とバッテリ電源（図示せず）との結線を行う。また、所定箇所において、スイッチ部（図示せず）との結線を行う。
【００５７】
このようにして構成された前記ＬＥＤ作業灯Ｒは、冷凍庫１０の上枠部２２の下板内底面の一部に亘り配置することができるので、冷凍庫１０の扉周りを照らすことができる。
【００５８】
すなわち、線状の回路基板１２上に複数のＬＥＤ光源１１を配置したものを後扉２１の上枠部２２内に埋め込み式で配置しているために、設置スペースを取ることなく、既存の機枠に配置できるものである。
【００５９】
しかも、ＬＥＤ作業灯Ｒは、細長い帯状の回路基板１２に搭載した複数のＬＥＤ光源が点灯することで、所定長さを有する線状光源とすることができ、この線状光源によって、扉枠２０の上枠部２２から扉開口部Ｋ周辺を照らすことができる。しかも、扉周辺で作業する作業者の足元を照らすことができ、作業者は安全に作業することができる。
【００６０】
後扉２１を開けた状態では、冷凍庫１０の扉開口部Ｋ周りを明るくすることができる。これにより、荷役作業がしやすくなる。すなわち、扉開口部Ｋ周辺が明確になって、荷物の積み込み・取り出しすることができる効果を有する。
【００６１】
また、ＬＥＤ作業灯Ｒは、扉枠２０内にＬＥＤ光源１１を搭載した回路基板１２本体が収納された状態になっているので、扉枠２０上で出っ張りがなく、後扉２１を閉じた状態でもほとんど邪魔にならない。
【００６２】
すなわち、図２に示すように、後扉２１を閉じた状態では、後扉２１の上端部が上枠部２２の下方に位置した状態でも、ＬＥＤ作業灯Ｒが上枠部２２内に内蔵した状態で取り付けられているので、ほとんど邪魔にならない。
【００６３】
しかも、本実施形態におけるＬＥＤ作業灯Ｒは、扉枠２０内に埋め込み式で配置しているので、ドックシェルターに付けたときでも、邪魔になることもなく、しかも、破損する心配がない。
【００６４】
（別実施形態）
従来では、暗い場所での積み込み時には、冷凍車の扉開口部Ｋの境界がわかりにくいため、作業者が積み降ろし中に荷物を落下させたりしていた。すなわち、作業者は扉開口部Ｋを認識しないままで荷物に目を配るため、冷凍庫の底面に沿って扉開口部Ｋ側に向かって荷物を滑らせながら移動させる途中で、扉開口端でいきなり落下させてしまい荷物を損傷させる問題が生じていた。
【００６５】
そこで、ＬＥＤ作業灯Ｒ´を冷凍車の扉開口部Ｋ側の側壁部１６ａ，１６ｂ下部に適用することとした。
ＬＥＤ作業灯Ｒ´の構造については前記実施形態と同じである。
【００６６】
図１は、その側面下部に埋め込み式のＬＥＤ作業灯Ｒ´を適用した場合の説明図である。
図１に示すように、冷凍庫は、天井部１７と床部１８と前壁部１９と左・右の側壁部１６ａ，１６ｂとから前後方向に縦長の箱形に形成している。
【００６７】
本実施形態では、ＬＥＤ作業灯Ｒ´は、側壁部１６ａ，１６ｂの扉開口部Ｋ側であって、その下部側に配置している。
【００６８】
具体的には、ＬＥＤ作業灯Ｒ´の後端部を扉開口部Ｋ付近まで近接させて配置し、その高さを、例えば床部より略３０ｃｍに配置している。帯状のＬＥＤ作業灯Ｒ´の長さは、例えば、略１ｍである。本実施形態では、ＬＥＤ作業灯Ｒ´は、図１に示すように、下部側ラッシングレール３９の下方に配設している。
【００６９】
図４は、冷凍庫１０の扉開口部Ｋ側であって、側壁部１６ａ，１６ｂ下部に配置したＬＥＤ作業灯Ｒ´の断面構造を示す。
配置方法は、図４に示すように、ＬＥＤ作業灯Ｒ´を断面略コ字状の固定用長板３６の内側部に配置し、これを上下でスペーサー２７（スポンジ押出品）をサンドイッチさせて固定させ、これらの固定用長板の開口側に配置したシール部材３５で押え付けたものとして構成し、このように構成したものを冷凍庫１０の内壁面下部に設けている。固定用長板３６の側面部には、ＬＥＤ作業灯Ｒ´のＬＥＤ光源１１の光を通すための角孔３８が設けられている。
【００７０】
これにより、図１に示すように、側壁部１６ａ，１６ｂ下部から扉開口部Ｋ周辺をＬＥＤ作業灯Ｒ´の光により所定の範囲で照らすことができる。
【００７１】
すなわち、暗い場所に付けた場合でも、扉開口部Ｋ周辺を即座に判断できて荷役作業性が格段に向上させることができる。なお、ＬＥＤ作業灯Ｒ´の光は特に限定されないが、光の色を赤色にすれば、この赤色のＬＥＤ光が警告的な色合いとなり、作業者に注意を喚起することができる。
【００７２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００７３】
Ａ  冷凍車
Ｋ  扉開口部
Ｒ  ＬＥＤ作業灯
Ｒ´  ＬＥＤ作業灯
１０  冷凍庫
１１  ＬＥＤ光源
１２  回路基板
１３  回路部品
１４  保護筒体
１５  後車輪
１６ａ，１６ｂ  側壁部
１７  天井部
１８  床部
１９  前壁部
２０  扉枠
２１  後扉
２２  上枠部
２２ａ  前側板
２３  下枠部
２４  爪受部
２５  左柱体
２６  右柱体
２７  スペーサー
２８  規制部材
２９  シール材
３０  スチレン
３１  緩衝部材
３２  押え板
３３  挿入孔
３４  塞ぎ板
３５  シール部材
３６  固定用長板
３７  角孔
３８  角孔
３９  下部側ラッシングレール
４０  電線
【図１】
0003187684.tif 000003
【図２】
0003187684.tif 000004
【図３】
0003187684.tif 000005
【図４】
0003187684.tif 000006
【手続補正書】
【提出日】平成25年10月9日(2013.10.9)
【手続補正１】
【補正対象書類名】実用新案登録請求の範囲
【補正対象項目名】請求項２
【補正方法】変更
【補正の内容】
【請求項２】
前記回路基板は、冷凍庫又は貨物室の上枠の底部に埋め込まれていることを特徴とする請求項１に記載の扉枠埋め込み式の作業灯。
【手続補正２】
【補正対象書類名】明細書
【補正対象項目名】００１０
【補正方法】変更
【補正の内容】
【００１０】
請求項２に記載の考案は、前記回路基板は、冷凍庫又は貨物室の上枠の底部に埋め込まれていることを特徴とする請求項１に記載の扉枠埋め込み式の作業灯である。